(57)【特許請求の範囲】
【請求項１】
薬剤を収容するとともに上面開口部が側方に向けて開口するように立てて使用される矩形状の容器本体からなり、該容器本体を立てた起立状態で上下に配置される複数の仕切が当該容器本体の底面に立設され内部が区画された薬剤収容容器であって、
前記薬剤を流動性を有する粒状物で構成するとともに、前記各仕切を前記起立状態で略水平方向に延在する板状の仕切部で構成し、
前記各仕切の端部に欠損部を設け、前記各仕切の端と前記容器本体の周壁との間に、当該仕切により区画された空間を連通し、かつ前記薬剤の通過を許容する連通路を形成したことを特徴とする薬剤収容容器。
【請求項２】
前記仕切を、平行して配置された離間する第１仕切部と第２仕切部とで構成し、前記第１仕切部と前記周壁との間に位置する第１収容空間と、前記第１仕切部と前記第２仕切部との間に位置する第２収容空間と、該第２仕切部と前記周壁との間に位置する第３収容空間とを形成する一方、
前記第１仕切部の一端部に前記第１欠損部を設定して前記第１仕切部の一端と前記周壁との間に前記第１連通路を形成するとともに、前記第２仕切部の他端部に前記第２欠損部を設定して前記第２仕切部の他端と前記周壁との間に前記第２連通路を形成したことを特徴とする請求項１記載の薬剤収容容器。
【発明の詳細な説明】
【技術分野】
【０００１】
本発明は、芳香剤等の薬剤を収容する薬剤収容容器に関する。
【背景技術】
【０００２】
従来、薬剤としてのゲル状芳香剤を収容した薬剤収容容器が知られている（例えば、特許文献１）。
【０００３】
この薬剤収容容器は、矩形状に形成されており、底面には、縦方向及び横方向に延在する仕切が設けられている。
【０００４】
これにより、容器体内部は、九つの部屋に分割されており、当該薬剤収容容器を、揮散口を側方に向けた状態で立てて使用する場合であっても、薬剤収容容器に収容されたゲル状芳香剤の偏りを防止できるように構成されている。
【特許文献１】実開昭５８−１４８０３号公報
【発明の開示】
【発明が解決しようとする課題】
【０００５】
しかしながら、このような従来の薬剤収容容器にあっては、製造時において容器体に形成された九つの部屋のそれぞれに薬剤を充填しなければならず、工程数が増加するという問題があった。
【０００６】
本発明は、このような従来の課題に鑑みてなされたものであり、使用時での不具合を解消しつつ、製造工程の簡素化を図ることができる薬剤収容容器を提供することを目的とするものである。
【課題を解決するための手段】
【０００７】
前記課題を解決するために本発明の請求項１の薬剤収容容器にあっては、薬剤を収容するとともに上面開口部が側方に向けて開口するように立てて使用される矩形状の容器本体からなり、該容器本体を立てた起立状態で上下に配置される複数の仕切が当該容器本体の底面に立設され内部が区画された薬剤収容容器であって、前記薬剤を流動性を有する粒状物で構成するとともに、前記各仕切を前記起立状態で略水平方向に延在する板状の仕切部で構成し、前記各仕切の端部に欠損部を設け、前記各仕切の端と前記容器本体の周壁との間に、当該仕切により区画された空間を連通し、かつ前記薬剤の通過を許容する連通路を形成した。
【０００８】
すなわち、この薬剤収容容器を立てて使用する場合、容器本体内に収容された薬剤が偏ることがある。
【０００９】
ここで、前記容器本体の底面には、仕切が立設されており、内部が区画されている。このため、前記仕切を境として上側に収容された薬剤は、当該仕切上に積載されることによって上方の空間に保持される。
【００１０】
一方、前記容器本体に薬剤を充填する製造時においては、前記仕切を境とする一方側の空間に薬剤を充填する。このとき、前記仕切には欠損部が設けられており、当該仕切の一方側の空間と他方側の空間とを連通するとともに前記薬剤を通過させる為の連通路が形成されている。
【００１１】
このため、前記仕切を境とした一方側の空間に充満した薬剤は、前記連通路を介して他方側の空間に充填される。
【００１２】
また、前記容器本体は、上面開口部が側方に向けて開口するように立てて使用される。
【００１３】
これにより、薬剤の揮散方向が定められる。
【００１９】
さらに、仕切の一端側に薬剤が通過する連通路が形成されるため、仕切の中央部に連通路が設けられた場合と比較して、当該連通路を介して落下する薬剤の落下量が抑えられる。
加えて、前記薬剤は粒状物である。
これにより、各空間への薬剤の充填が容易となる。
【００２０】
また、請求項２の薬剤収容容器では、前記仕切を、平行して配置された離間する第１仕切部と第２仕切部とで構成し、前記第１仕切部と前記周壁との間に位置する第１収容空間と、前記第１仕切部と前記第２仕切部との間に位置する第２収容空間と、該第２仕切部と前記周壁との間に位置する第３収容空間とを形成する一方、前記第１仕切部の一端部に前記第１欠損部を設定して前記第１仕切部の一端と前記周壁との間に前記第１連通路を形成するとともに、前記第２仕切部の他端部に前記第２欠損部を設定して前記第２仕切部の他端と前記周壁との間に前記第２連通路を形成した。
【００２１】
すなわち、容器本体内に収容された薬剤は、第１〜３収容空間の三カ所に分配される。
【００２２】
このとき、第１仕切部の一端と容器本体の周壁との間に第１連通路が形成されるとともに、第２仕切部の他端と前記周壁との間に第２連通路が形成されている。このため、当該薬剤容器を立てて使用した状態において、前記第１連通路より落下した薬剤は、前記第２仕切部上に積載される。
【００２３】
一方、前記容器本体に薬剤を充填する際には、第２収容空間に薬剤を充填する。すると、第２収容空間に充満した薬剤は、前記第１連通路を介して第１収容空間に充填されるとともに、前記第２連通路を介して第３収容空間に充填される。
【発明の効果】
【００２６】
以上説明したように本発明の請求項１の薬剤収容容器にあっては、当該薬剤収容容器を立てて使用する際に、仕切を境とした上側の薬剤を当該仕切上に積載することによって上方の空間に保持することができる。
【００２７】
これにより、薬剤収容容器を立てて使用する際に、容器本体に収容された薬剤の下方への偏りを防止することができ、薬剤が空気に接触する揮散面積の減少を防止することができる。これにより、揮散能力を維持することができる。
【００２８】
そして、前記容器本体に薬剤を充填する際には、前記仕切を境とする一方側の空間に薬剤を充填することによって、前記仕切を境とした一方側の空間に充満した薬剤を、連通路を介して他方側の空間に充填することができる。
【００２９】
このため、区画形成された各部屋に薬剤をそれぞれ充填しなければならなかった従来と比較して、工程数を削減することができ、製造工程の簡素化を図ることができる。
【００３０】
また、前記容器本体を、上面開口部が側方に向けて開口するように立てて使用することによって、例えば薬剤の揮散方向を部屋の中心に向けて定めることができる。
【００３７】
また、仕切の一端側に薬剤が通過する連通路が形成されるため、仕切の中央部に連通路が設けられた場合と比較して、立てて使用する際に当該連通路を介して落下する薬剤の落下量を抑制することができる。
加えて、前記薬剤が流動性を有する粒状物であるため、各空間への薬剤の充填を容易に行うことができる。
【００３８】
さらに、請求項２の薬剤収容容器では、容器本体内に収容された薬剤を、第１〜３収容空間の三カ所に分配することができる。
【００３９】
このとき、第１仕切部の一端と容器本体の周壁との間に第１連通路が形成されるとともに、第２仕切部の他端と前記周壁との間に第２連通路が形成されている。このため、当該薬剤容器を立てて使用した状態において、前記第１連通路より落下した薬剤を、前記第２仕切部で受け止め当該第２仕切部上に積載することができる。
【００４０】
これにより、第１連通路と第２連通路とが同方向に形成され、第１仕切部上の薬剤が、両連通路を介して第３収容空間まで落下してしまう場合と比較して、薬剤を分散して配置することができる。
【００４１】
そして、前記容器本体に薬剤を充填する際には、第２収容空間に薬剤を充填する。これにより、第２収容空間に充満した薬剤を、前記第１連通路を介して第１収容空間に充填することができるとともに、前記第２連通路を介して第３収容空間に充填することができる。よって、薬剤の充填効率を高めることができる。
【発明を実施するための最良の形態】
【００４３】
以下、本発明の一の実施の形態を図に従って説明する。図１は、本実施の形態にかかる薬剤収容容器としての詰替容器１を備えた薬剤揮散器２を示す図であり、この薬剤揮散器２は、消臭剤、芳香剤、防虫剤、殺虫剤等の薬剤を揮散する装置である。
【００４４】
この薬剤揮散器２は、揮散器本体１１と、該揮散器本体１１に交換可能に取り付けられる前記詰替容器１とによって構成されている。
【００４５】
前記揮散器本体１１は、使用時に起立される起立部２１と、該起立部２１の下端部に取り付けられる基端構成部材２２とによって構成されている。前記起立部２１は、図２に示すように、縦長の長方形板状に形成されており、下端の中央部を除く周縁には、図３にも示すように、裏面側に延出するフランジ２３が形成されている。
【００４６】
前記起立部２１の外側面である前面２５には、図２及び図３に示したように、短辺方向に延在する複数の凹溝２６，・・・が上下に並設されており、中間領域Ｍに位置する各凹溝２６，・・・内には、裏面側に貫通する開口部としての外スリット２７，・・・が凹溝２６，・・・に沿って開設されている。また、前記中間領域Ｍには、前記各外スリット２７，・・・より大径楕円形状の大径開口部２８が開設されており、該大径開口部２８の外周縁部には、円形の取付穴２９，・・・が四カ所に形成されている。
【００４７】
この起立部２１の背面には、図３及び図４に示すように、上縁部及び側縁部に支持突起３１が設けられており、上縁に設けられたフランジ２３の内側面及び側縁に設けられたフランジ２３の内側面には、内方に突出する係止条３２，・・・が形成されている。前記下縁に形成された前記フランジ２３の端部には、上方に起立した起立壁３３，３３が一体形成されており、両起立壁３３，３３の中心側の側面には、前記起立壁３３，３３に沿って延在するＬ字リブ３４，３４が一体形成されている。
【００４８】
前記起立部２１に形成された前記取付穴２９，・・・には、図１に示したように、前記大径開口部２８を覆うカバー４１が取り付けられるように構成されている（図１中下部側の支持状態は省略）。
【００４９】
このカバー４１は、図５に示すように、前記大径開口部２８より大径の楕円形状に形成されており、中央部が外側に膨出したドーム型に形成されている。前記カバー４１の裏面には、当該カバー４１を支持する脚部４５，・・・が周縁部の四カ所に立設されており、各脚部４５，・・・の先端部には、小径部４６が形成されている。各小径部４６，・・・は、前記起立部２１の対応した取付穴２９，・・・に挿入された状態で固定されるように構成されている。
【００５０】
前記各脚部４５，・・・は、図１に示したように、前記取付穴２９に挿入して固定した状態で、前記カバー４１を前記起立部２１の前記前面２５より離間して配置できる長さ寸法に設定されており、前記カバー４１と前記前面２５との間に間隙５１を形成できるように構成されている。このカバー４１は、前記大径開口部２８が設けられた前記前面２５より突出した突出部を構成するように構成されている。
【００５１】
この起立部２１の下端部に取り付けられる前記基端構成部材２２は、図６にも示すように、矩形容器状に形成されており、この基端構成部材２２の側面前側には、内側に後退した後退面５５，５５が形成されている。これにより、当該基端構成部材２２の前部には、幅寸法の狭い幅狭部５６が形成されている。該幅狭部５６での幅寸法は、前記起立部２１のフランジ２３間の寸法より小さく設定されており、当該幅狭部５６に前記起立部２１の下端部を外嵌できるように構成されている。
【００５２】
前記後退面５５には、矩形状の切欠部６１が形成されており、前記基端構成部材２２の底面６２には、矩形状の挿通穴６３，６３が前方の両角部に開設されている。これにより、前記起立部２１に当該基端構成部材２２を取り付けた状態において、前記起立部２１に設けられた前記起立壁３３及び前記Ｌ字リブ３４を前記各挿通穴６３，６３に挿通できるように構成されている。
【００５３】
前記詰替容器１は、図７に示すように、薬剤７０を収容する容器本体７１を備えており、該容器本体７１は、図８及び図９に示すように、長方形状の底面７２と、該底面７２の周縁に起立した周壁７３とによって形成されている。該周壁７３の上縁には、側方に延出した側方フランジ部７４と、該側方フランジ部７４より下方に延出した延出部７５とが一体形成されており、下方に折り返した折返し部７６が形成されている。前記底面７２の裏面には、上方へ没入した凹部７７，７７が各短辺に沿って形成されており、当該底面７２の裏面には、前記短辺に沿った段差部７８，７８が形成されている。
【００５４】
また、前記底面７２には、図７に示したように、各短辺寄りの二カ所に各短辺に沿って延在する第１仕切部としての平板状の第１仕切壁８１及び第２仕切部である平板状の第２仕切壁８２が平行し離間して立設されており、短辺側の周壁７３と前記第１仕切壁８１との間には、第１収容空間８３が形成されている。また、前記第１仕切壁８１と前記第２仕切壁８２との間には、第２収容空間８４が形成されており、前記第２仕切壁８２と前記短辺側の周壁７３との間には、第３収容空間８５が形成されている。
【００５５】
前記各収容空間８３〜８５には、前記薬剤７０が収容されており（一部のみ図示）、この薬剤７０は、芳香剤を含有した粒状部材８６，・・・と、消臭液を吸収した粒形状のゲル状部材８７，・・・とによって構成されている。
【００５６】
前記第１仕切壁８１は、図７において右寄りに配置されており、当該第１仕切壁８１の左端部には、当該第１仕切壁８１が欠損されてなる第１幅広欠損部９１が設定されている。これにより、前記第１仕切壁８１の左端と前記周壁７３との間には、前記薬剤７０を通過させる為の第１幅広連通路９２が形成されている。
【００５７】
前記第１仕切壁８１の右端部には、当該第１仕切壁８１が欠損されてなる幅狭の第１幅狭欠損部９３が設定されている。これにより、前記第１仕切壁８１の左端と前記周壁７３との間には、空気を通流する為の第１幅狭連通路９４が形成されている。
【００５８】
前記第２仕切壁８２は、図７において左寄りに配置されており、当該第２仕切壁８２の右端部には、当該第２仕切壁８２が欠損されてなる第２幅広欠損部９５が設定されている。これにより、前記第２仕切壁８２の右端と前記周壁７３との間には、前記薬剤７０を通過させる為の第２幅広連通路９６が形成されている。
【００５９】
前記第２仕切壁８２の左端部には、当該第２仕切壁８２が欠損されてなる幅狭の第２幅狭欠損部９７が設定されている。これにより、前記第２仕切壁８２の左端と前記周壁７３との間には、空気を通流する為の第２幅狭連通路９８が形成されている。
【００６０】
ここで、前記第１幅狭連通路９４の幅寸法と前記第２幅狭連通路９８の幅寸法は、前記薬剤７０を構成する前記粒状部材８６及び消臭液を吸収した粒形状のゲル状部材８７の粒径より狭く設定されているものとする。
【００６１】
この容器本体７１の中央部に位置する前記両仕切壁８１，８２の部位には、図８及び図９に示すように、円柱状の支柱部１０１，１０１が一体形成されており、各支柱部１０１，１０１の先端には、小径の小径部１０２，１０２が形成されている。
【００６２】
前記周壁７３を形成する各辺には、図７から図８に示すように、内側に突出する支持リブ１０５，・・・が底面７２から開口部側へ向けて延設されており、前記周壁７３を形成する各辺の上縁部には、上縁に沿って延在する凸条１０６，・・・が形成されている。各凸条１０６，・・・は、前記各支持リブ１０５上端より高位置に設定されており、前記各支持リブ１０５，・・・から前記凸条１０６，・・・までの範囲内に、前記支柱部１０１の前記小径部１０２が配置されるように構成されている。
【００６３】
また、前記詰替容器１は、図１０に示すように、前記容器本体７１の開口部を閉鎖する蓋部１１１を備えている。該蓋部１１１は、前記容器本体７１の開口部に内嵌する大きさの長方形板状に形成されており、その周縁には、上面側に突出する周縁フランジ１１２が全周に渡って形成されている。また、この蓋部１１１には、短辺方向に延在する内スリット１１３，・・・が複数並設されており、前記容器本体７１内に収容された粒状の薬剤７０の飛び出しを防止しつつ、薬剤７０から揮発した蒸気を前記内スリット１１３，・・・及び前記起立部２１に設けられた外スリット２７，・・・及び大径開口部２８を介して外部へ放出できるように構成されている。
【００６４】
この蓋部１１１の裏面には、円筒部１２１，１２１が二カ所に突設されており、当該蓋部１１１を前記容器本体７１に取り付けた状態で、各円筒部１２１，１２１に前記容器本体７１に立設された前記支柱部１０１，１０１の前記小径部１０２，１０２を挿入した状態で固定できるように構成されている。
【００６５】
以上の構成にかかる本実施の形態において、前記詰替容器１の容器本体７１に薬剤７０を充填する際には、図１１に示すように、該容器本体７１の中央部に形成された第２収容空間８４に芳香剤を含有させた粒状部材８６，・・・と消臭液を吸収させる前のゲル状部材８７，・・・を充填した後、この第２収容空間８４に消臭液を供給する。すると、粒状部材８６，・・・とゲル状部材８７，・・・は前記消臭液によって流され、図１１中の矢印で示すように、前記第１幅広連通路９２を介して第１収容空間８３に、前記第２幅広連通路９６を介して第３収容空間８５に、流されてそれぞれ充填されるとともに、ゲル状部材８７が前記消臭液を吸収することによって粒形状のゲル状部材８７が形成される。
【００６６】
これにより、前記第２収容空間８４に充満した薬剤７０を、前記第１幅広連通路９２を介して第１収容空間８３に充填することができるとともに、前記第２幅広連通路９６を介して第３収容空間８５に充填することができ、前記容器本体７１内に収容された前記薬剤７０を、第１〜３収容空間８３〜８５の三カ所に均等に分配することができる。
【００６７】
したがって、容器本体に区画形成された各部屋に薬剤７０をそれぞれ充填しなければならなかった従来と比較して、薬剤の充填工程数を削減することができ、製造工程の簡素化を図ることができるとともに、薬剤７０の充填効率を高めることができる。
【００６８】
このとき、前記第１幅広連通路９２の逆側には、空気を通流する為の第１幅狭連通路９４が形成されており、前記第２幅広連通路９６の逆側には、空気を通流する為の第２幅狭連通路９８が形成されている。これにより、前記第１収容空間８３及び前記第２収容空間８４内の空気を前記第１幅狭連通路９４及び前記第２幅狭連通路９８から排出することができるので、前記消臭液及び前記薬剤７０の各空間８３，８５への流入をスムーズに行うことができる。
【００６９】
そして、この薬剤収容容器２を立てて使用する際には、前記詰替容器１の容器本体７１内に収容された前記薬剤７０が下方に偏ることがある。
【００７０】
ここで、本実施の形態における前記容器本体７１の底面７２には、平板状の仕切壁８１，８２が立設されており、内部が区画されている。このため、前記各仕切壁８１，８２を境として上側に収容された薬剤７０を、図７に示したように、当該仕切壁８１，８２上に積載することによって上方の空間に保持することができる。
【００７１】
このため、当該薬剤収容容器２を立てて使用する際に、前記容器本体７１に収容された前記薬剤７０の下方への偏りを防止することができ、薬剤７０が空気に接触する揮散面積の減少を防止することができる。これにより、揮散能力を維持することができる。
【００７２】
このとき、前記仕切壁８１，８２の端部側に薬剤７０が通過する幅広連通路９２，９６が形成されている。このため、仕切壁８１，８２の中央部に連通路が設けられた場合と比較して、立てて使用する際に当該連通路を介して落下する薬剤７０の落下量を抑制することができる。
【００７３】
なおかつ、前記第１仕切壁８１の左端と前記容器本体７１の周壁７３との間に前記第１幅広連通路９２が形成されるとともに、前記第２仕切壁の右端と前記周壁７３との間に第２幅広連通路９６が形成されている。このため、当該薬剤容器２を立てて使用した状態において、前記第１幅広連通路９２より落下した薬剤７０を、前記第２仕切壁８２で受け止め当該第２仕切部壁８２上に積載することができる。
【００７４】
これにより、前記第１幅広連通路９２と前記第２幅広連通路９６とが同方向に形成され、前記第１仕切壁８１上の薬剤７０が、両幅広連通路９２，９６を介して第３収容空間８５まで落下してしまう場合と比較して、薬剤７０を分散して配置することができる。
【００７５】
なお、本実施の形態においては、容器本体７１の底面７２に設けられた第１及び第２仕切壁８１，８２の左側部及び右側部に連通路９２，９６を形成した場合を例に挙げて説明したが、これに限定されるものでは無い。
【００７６】
例えば、図１２の第１変形例２０１に示すように、上部仕切壁２０２の両側に連通路２０３，２０３を形成するとともに、下部仕切壁２０４の中央部に連通路２０５を形成したり、第２変形例２１１のように、上部仕切壁２１２の左側中途部と下部仕切壁２１３の右側中途部に連通路２１４，２１５を形成しても良い。
【００７７】
また、図１３の第３変形例２２１に示すように、上部仕切壁２２２及び下部仕切壁２２３を斜めに設けたり、第４変形例２３１に示すように、上部仕切壁２３２及び下部仕切壁２３３を上方に開口したへの字状に形成したり、第５変形例２４１に示すように、上部仕切壁２４２及び下部仕切壁２４３を上方に開口した円弧状に形成しても良く、これらの場合には、各仕切壁２２２，２２３，２３２，２３３，２４２，２４３での薬剤７０の載置量を増大することができる。
【００７８】
さらに、図１４の第６変形例２５１や第７変形例２６１に示すように、上下に配置された仕切壁２５２，・・・２６２，・・・の数は、さらに多くても良く、隣接した連通路２５３，・・・２６３，・・・が上下に配置されないように、異なる位置に設けることによって、下部までの薬剤７０の落下を防止することができる。
【図面の簡単な説明】
【００７９】
【図１】本発明の一実施の形態を示す断面図である。
【図２】同実施の形態の起立部を示す正面図である。
【図３】図２のＡ−Ａ線に沿った断面図である。
【図４】同実施の形態の起立部を示す背面図である。
【図５】同実施の形態のカバーを示す図で、（ａ）はカバーの背面図であり、（ｂ）は同図（ａ）のＢ−Ｂ線に沿った断面図である。
【図６】同実施の形態の基端構成部材を示す図で、（ａ）は基端構成部材の平面図であり、（ｂ）は基端構成部材の側面図である。
【図７】同実施の形態の容器本体を示す平面図である。
【図８】同実施の形態の容器本体の側面を示す一部断面図である。
【図９】同実施の形態の容器本体の正面を示す一部断面図である。
【図１０】同実施の形態の蓋部を示す図で、（ａ）は蓋部の平面図であり、（ｂ）は蓋部の側面を示す一部断面図である。
【図１１】同実施の形態の薬剤の充填工程を示す説明図である。
【図１２】本発明の第１及び第２変形例を示す模式図である。
【図１３】  第３から第５変形例を示す模式図である。
【図１４】本発明の第６及び第７変形例を示す模式図である。
【符号の説明】
【００８０】
１    詰替容器
２    薬剤揮散器
７０    薬剤
７１    容器本体
７２    底面
８１    第１仕切壁
８２    第２仕切壁
８３    第１収容空間
８４    第２収容空間
８５    第３収容空間
９１    第１幅広欠損部
９２    第１幅広連通路
９５    第２幅広欠損部
９６    第２幅広連通路
【図１】
0004676262.tif 000002
【図２】
0004676262.tif 000003
【図３】
0004676262.tif 000004
【図４】
0004676262.tif 000005
【図５】
0004676262.tif 000006
【図６】
0004676262.tif 000007
【図７】
0004676262.tif 000008
【図８】
0004676262.tif 000009
【図９】
0004676262.tif 000010
【図１０】
0004676262.tif 000011
【図１１】
0004676262.tif 000012
【図１２】
0004676262.tif 000013
【図１３】
0004676262.tif 000014
【図１４】
0004676262.tif 000015